(57)【要約】【課題】大幅な材料削減に加えて、吊線へ支持させるための支持作業及び支持作業完了後の通信ケーブル等の配索作業が容易で、かつ、迅速な完了を可能とする。【解決手段】ケーブル３を支持する上向きＵ字状のケーブル支持部５と、そのケーブル支持部５の挿入開放口１１を残して上方開放空間を塞ぐよう設けられた下向きＵ字状の吊線支持部９と、その吊線支持部９から下降傾斜し前記挿入開放口１１へ向けて誘導案内するテーパガイド部１３と、前記挿入開放口１１を横切るよう設けられ上方から下方へは通過可能で、下方から上方へは通過が阻止されるストッパ部１５とを１本の連続した線材で構成する。【選択図】図１
2006067642.tif 000002
【特許請求の範囲】
【請求項１】
ケーブルを支持する上向きＵ字状のケーブル支持部と、そのケーブル支持部の挿入開放口を残して上方開放空間を塞ぐよう設けられた下向きＵ字状の吊線支持部と、その吊線支持部から下降傾斜し前記挿入開放口へ向けて誘導案内するテーパガイド部と、前記挿入開放口を横切るように前記テーパガイド部のガイド端へ向けて下降傾斜し、上方から下方へは通過可能で、下方から上方へは通過が阻止される一方が自由端となるストッパ部とからなることを特徴とするケーブルハンガ。
【請求項２】
ケーブルを支持する上向きＵ字状のケーブル支持部と、そのケーブル支持部の挿入開放口を残して上方開放空間を塞ぐよう設けられた下向きＵ字状の吊線支持部とを有し、
前記挿入開放口は、前記挿入開放口の開口端から水平に屈曲延長された第１ストッパ部と、前記吊線支持部から前記第１ストッパ部と対向するよう屈曲延長された第２ストッパ部とにより側方から挿入可能な一定長さの挿入通路を備えていることを特徴とするケーブルハンガ。
【請求項３】
前記請求項１又は２において１本の連続する線材で作られていることを特徴とするケーブルハンガ。
【発明の詳細な説明】
【技術分野】
【０００１】
本発明は、電柱に沿ってケーブルを配索するのに適するケーブルハンガに関する。
【背景技術】
【０００２】
従来、電柱に沿って例えば通信ケーブル等を配索するのに、スパイラルハンガが使用される。
【０００３】
スパイラルハンガの概要は、ワイヤによってスパイラル状に巻かれた形状に作られていて、電柱間に掛け渡された吊線によって支持される。
【０００４】
吊線によって支持されたスパイラルハンガ内には、通信ケーブル等が配索されるようになっている。
【特許文献１】特公昭５２−４０３３号公報
【発明の開示】
【発明が解決しようとする課題】
【０００５】
スパイラルハンガは、スパイラルのトンネル状に形成される所から、電柱間にかけ渡された吊線に支持させるにはスパイラルハンガの一方の開口端部を吊線に通した後、吊線の全領域にわたって順次通していくため多大の時間と労力を必要とする。しかも、長大なスパイラルとなることで多大の材料を必要とし、コストの面でも望ましくない。
【０００６】
また、吊線によって支持されたスパイラルハンガ内に例えば、通信ケーブル等を配索するには、その通信ケーブルをスパイラルハンガの一方の開口端部から順次通していくようになるが、この時、スパイラルの形状によって一定の間隔で作られる隙間の影響で引掛かりが起きてスムーズに通すことができない。そのために、例えば、専用の先導具を用いて通す等の手段を用いてるが、いずれにしても多大の時間と労力を必要とするのが現状となっている。
【０００７】
そこで、本発明は、大幅な材料削減に加えて、吊線へ支持させるための支持作業及び支持作業完了後の通信ケーブル等の配索作業が容易で、かつ、迅速に完了するケーブルハンガを提供することを目的としている。
【課題を解決するための手段】
【０００８】
前記目的を達成するために、本発明の第１には、ケーブルを支持する上向きＵ字状のケーブル支持部と、そのケーブル支持部の挿入開放口を残して上方開放口を塞ぐよう設けられた下向きＵ字状の吊線支持部と、その吊線支持部から下降傾斜し前記挿入開放口へ向けて誘導案内するテーパガイド部と、前記挿入開放口を横切るように前記テーパガイド部のガイド端へ向けて下降傾斜し、上方から下方へは通過可能で、下方から上方へは通過が阻止される一方が自由端となるストッパ部とからなることを特徴とする。
【０００９】
第２には、ケーブルを支持する上向きＵ字状のケーブル支持部と、そのケーブル支持部の挿入開放口を残して上方開放空間を塞ぐよう設けられた下向きＵ字状の吊線支持部とを有し、前記挿入開放口は、前記挿入開放口の開口端から水平に屈曲延長された第１ストッパ部と、前記吊線支持部から前記第１ストッパ部と対向するよう屈曲延長された第２ストッパ部とにより側方から挿入可能な一定長さの挿入通路を備えていることを特徴とする。
【発明の効果】
【００１０】
本発明によれば、電柱間に掛け渡された吊線に対して、直交する方向からケーブルハンガの挿入開放口を通過させた後、その吊線の上方に吊線支持部がくるようケーブルハンガを移動しそのまま、ケーブルハンガを下降させることで吊線支持部は吊線と係合し合い迅速に支持させることができる。
【００１１】
この支持作業を繰返し行なうことで吊線に対して所定の間隔でケーブルハンガを設置できるため、従来のスパイラルハンガに比べて大幅な材料削減に寄与することができる。
【００１２】
また、所定の間隔で吊線に支持された各ケーブルハンガに対して、挿入開放口からケーブル支持部内へ通信ケーブルを落し入れる作業を順次行なうことで通信ケーブル等の配索作業が迅速に容易に完了することが可能となり、作業性の大幅な向上を図ることができる。
【発明を実施するための最良の形態】
【００１３】
本発明にあっては、Ｕ字状のケーブル支持部、吊線支持部を始めとする各構成要素を１本の線材によって屈曲成形することで、大幅な材料削減が図れるようにする。
【実施例】
【００１４】
以下、図１乃至図６の図面を参照しながら本発明の第１の実施形態について具体的に説明する。
【００１５】
図１は本発明にかかるケーブルハンガの正面図、図２はその平面図、図３は吊線に支持されたケーブルハンガ内に、通信ケーブル等が配索された説明図をそれぞれ示している。
【００１６】
ケーブルハンガ１は、１本の線材で作られていて、通信ケーブル３等を支持するケーブル支持部５と、吊線７に支持させるための吊線支持部９と、前記ケーブル支持部５に設けられた挿入開放口１１へ向けて誘導案内するテーパガイド部１３と、配索された通信ケーブル３等が挿入開放口１１から抜け出るのを阻止するストッパ部１５とからなっている。
【００１７】
ケーブル支持部５は正面からみた時に上向きＵ字状の形状に作られていて、その底部円弧面５ａに通信ケーブル３等が配索支持されるようになっている。
【００１８】
吊線支持部９は、電柱（図示していない）間に掛け渡された吊線７に対して係合支持されるよう下向きＵ字状に作られている。Ｕ字状の溝幅ｄは前記吊線７の径より若干小さく設定され、吊線７との強制的な係合完了時に高い挟持圧が確保されるようになっていて、図３に示すように並列に配置された形状となっている。
【００１９】
並列に配置された前後の各吊線支持部９，９において、図４に示すように、下向きＵ字状に形成された一方の下端からは、外側へ向けて下降傾斜するテーパ部１７，１７が延長され、後方に位置する吊線支持部９から延長されたテーパ部１７は自由端となっている。前方に位置する吊線支持部９から延長されたテーパ部１７は、前記上向きＵ字状の形状に形成されたケーブル支持部５の一方の端部と一体に連続し、図右側に挿入開放口１１を残してケーブル支持部５の上方開放空間を塞ぐようになっている。
【００２０】
下向きＵ字状に形成された各吊線支持部９，９の他方の下端からは前記テーパ部１７，１７とで八の字が形成されるよう前記したテーパガイド部１３，１３が下降傾斜し、その延長端は垂直に短く屈曲された後、アーチ状に一体に連結されたガイド端２１となっている。
【００２１】
これにより、並列に配置された各吊線支持部９，９は一筆書きのように一本の線材によって一体に連続するようケーブル支持部５につながると共に、テーパガイド部１３の上面１９は、挿入開放口１１へ向けて誘導案内（下向き矢印）する案内面として作用するようになっている。
【００２２】
また、テーパガイド部１３の下面１９ｂは前記テーパ部１７の下面とで形成される八の字状によってケーブルハンガ１を下降させた時に内部に挿入された吊線７を吊線支持部９のＵ字状の溝幅ｄ内へ誘導案内する案内面として作用するようになっている。
【００２３】
ストッパ部１５は、前記挿入開放口１１を斜めに横切るよう前記ケーブル支持部５の一方の端部からテーパガイド部１３のガイド端２１へ向けて下降傾斜する自由端となっている。
【００２４】
したがって吊線７、あるいは、通信ケーブル３は上方から下方へはその荷重によって前記ストッパ部１５が下方へ変形することで挿入開放口１１に対する通過が可能となる一方、下方から上方へはストッパ部１５に沿って上方コーナ部２３へ向けて誘導されるようになることで、挿入開放口１１から外方へ抜けでるのを確実に阻止されるようになっている。
【００２５】
このように構成されたケーブルハンガ１を電柱と電柱の間に掛け渡された吊線７に支持させるには、例えば、移動可能な昇降台の上に作業者が乗って直接手で支持させるようにしたり、あるいは、図６に示すように竿２５の先端に設けられたハンガ保持具２７を用いてもよい。
【００２６】
ハンガ保持具２７はケーブルハンガ１を吊線支持部９となる上方とケーブル支持部５の側方の２点で着脱自在に支持するようになっていて、その支持作業は、ケーブルハンガ１がセットされたハンガ保持具２７を下から持ち上げていき、そのハンガ保持具２７のガイド部２９を吊線７に当てる。この時、吊線７と挿入開放口１１は上下に対向し合う状態に位置決めされるから、さらに上昇させることで吊線７は挿入開放口１１を介してケーブルハンガ１内に入る（７−１）。次に、吊線７の真上に吊線支持部９がくるようハンガ保持部２７を移動させた後（７−２）、下降させることで、吊線７に対して吊線支持部９は強制的に係合し合う（７−３）。この結果、支持作業は迅速に完了すると共に、並列に設けられた吊線支持部９によって安定した両端支持状態が得られる。
【００２７】
この場合、図５に示すように、ガイド端２１から溝幅ｄを広くした吊線支持部９の内部へ向かって折り返された吊線押え部３１を設けるようにしてもよい。これにより、溝幅ｄが大きく確保されることで異なる太さの吊線７に対して対応が可能になると共に、しかもより確実で安定した支持状態が得られるようになる。
【００２８】
支持完了後はケーブル保持具１７を上方へ持ち上げることでケーブルハンガ１から容易に外すことが可能となる。
【００２９】
以下、この作業を順次繰返すことで所定の間隔でケーブルハンガ１の設置が行なえる。
【００３０】
次に設置完了後のケーブルハンガ１に対しては、図３に示すように挿入開放口１１から通信ケーブル３を落し入れることでケーブル支持部５によって支持されるようになり、配索作業が迅速に完了するようになる。
【００３１】
なお、通信ケーブル３の配索作業にあたって、予め通信ケーブル３をケーブルハンガ１内に配索しておき、そのケーブルハンガ１を吊線７に支持させることで作業が完了するようにしてもよい。
【００３２】
図７から図１０はケーブルハンガ１の第２の実施形態を示したもので、挿入開放口１１を側方に設けるようにしたものである。
【００３３】
即ち、ケーブルハンガ１は、１本の線材で作られていて、通信ケーブル等を支持するケーブル支持部３１と、吊線７に支持させるための吊線支持部３３と、挿入開放口１１とからなる形状となっている。
【００３４】
ケーブル支持部３１は正面からみた時に上向きＵ字状の形状に作られていて、その底部円弧面３１ａに通信ケーブル等が配索支持されるようになっている。
【００３５】
吊線支持部３３は、電柱間に掛け渡された吊線７に対して係合支持されるよう下向きＵ字状の形状に作られている。Ｕ字状の溝幅ｄは前記吊線７の径より若干小さく設定され、吊線７との強制的な係合完了時に高い挟持圧が確保されるようになっていて、図１０に示すように並列に配置された形状となっている。
【００３６】
並列に配置された前後の各吊線支持部３３，３３において、下向きＵ字状に形成された一方の下端からは、外側へ向けて下降傾斜するテーパ部３５が延長され、前方に位置する吊線支持部３３から延長されたテーパ部３５は自由端となっている。後方に位置する吊線支持部３３から延長されたテーパ部３５は、前記上向きＵ字状に形成されたケーブル支持部３１の一方の端部と一体に連続し、ケーブル支持部３１の上方開放空間を塞ぐようになっている。
【００３７】
下向きＵ字状に形成された各吊線支持部３３，３３の他方の下端からは、前記テーパ部３５とで八の字状が形成されるよう下降傾斜するテーパ部３７が平行に延長され、その延長端はさらに内側へ向け水平に屈曲された後、一体に連結され、後述する第１ストッパ部３９とで前記した挿入開放口１１を構成する第２ストッパ部４１となっている。
【００３８】
これにより、並列に配置された各吊線支持部３３は一筆書きのように１本の線材によって一体に連続するようケーブル支持部３１につながると共に、八の字状のテーパ部３５，３７はケーブルハンガ１を下降させた時に内部に挿入された吊線７を吊線支持部３３のＵ字状の溝幅ｄ内へ誘導案内する案内面として作用するようになっている。
【００３９】
挿入開放口１１は、前記ケーブル支持部３１から前記第２ストッパ部４１と対向するよう平行に延長された第１ストッパ部３９とによって形成され、側方から挿入可能な一定長さの挿入通路４３を備えている。
【００４０】
これにより、ケーブル支持部３１内に配索された通信ケーブル等が例えば、図７、二点鎖線矢印で示すように上昇した後、挿入開放口１１へ向け挿入通路４３を横移動するという通常では考えられない不自然な挙動をしないかぎり、外へ抜け出ることがないよう工夫されている。
【００４１】
したがって、この第２の実施形態によれば、第１の実施形態と同様にケーブルハンガ１を吊線７に支持させるには、作業者が直接手で行なう場合とハンガ保持具を用いて行なうようになる。この場合、ハンガ保持具を用いる場合には、別途専用のハンガ保持具（図示していない）を用いて支持するようになする。
【００４２】
また、吊線に対して所定の間隔で支持された設置完了後のケーブルハンガ１に対しては、挿入開放口１１から通信ケーブル３を落し入れることでケーブル支持部３１によって支持されるようになり配索作業が迅速に完了する。
【図面の簡単な説明】
【００４３】
【図１】本発明にかかるケーブルハンガの正面図。
【図２】図１のケーブルハンガの平面図。
【図３】吊線にケーブルハンガを支持させた状態の説明図。
【図４】ケーブルハンガの斜視図。
【図５】吊線支持部に吊線押え部を設けた別の実施形態のケーブルハンガの正面図。
【図６】ハンガ保持具によって吊線へケーブルハンガを支持させる動作説明図。
【図７】第２の実施形態を示したケーブルハンガの正面図。
【図８】図７の平面図。
【図９】吊線に支持させた第２の実施形態のケーブルハンガの説明図。
【図１０】第２の実施形態のケーブルハンガの斜視図。
【符号の説明】
【００４４】
３    ケーブル
５    ケーブル支持部
７    吊線
９    吊線支持部
１１    挿入開放口
１３    テーパガイド部
１５    ストッパ部
４３    挿入通路
【図１】
2006067642.tif 000003
【図２】
2006067642.tif 000004
【図３】
2006067642.tif 000005
【図４】
2006067642.tif 000006
【図５】
2006067642.tif 000007
【図６】
2006067642.tif 000008
【図７】
2006067642.tif 000009
【図８】
2006067642.tif 000010
【図９】
2006067642.tif 000011
【図１０】
2006067642.tif 000012